(57)【特許請求の範囲】
【請求項１】
襟付き被服に装着可能な襟元保持具であって、
装着される際に、左右の襟の剣先下方に配置される基部と、
前記基部から所定角度で分岐し、先端方向に漸次離間するアーム部と、
分岐する前記アーム部の各々に係合するブリッジ部と、
を備え、
前記アーム部は、前立ての左右に形成される襟と台襟との間に夫々進入し、前記台襟を押圧し、
前記ブリッジ部は、前記アーム部を摺動可能に構成される襟元保持具。
【請求項２】
前記基部は、下端が略弧状に湾曲する形状を備える請求項１に記載の襟元保持具。
【請求項３】
前記ブリッジ部は、装飾物を保持可能に構成される請求項１又は２に記載の襟元保持具。
【請求項４】
前記ブリッジ部は、前記アーム部に着脱自在に係合する請求項１乃至３のいずれかに記載の襟元保持具。
【請求項５】
前記アーム部は、前記襟と前記台襟との間に夫々進入し、ユーザーの頸部後方に到達するよう構成される請求項１乃至４のいずれかに記載の襟元保持具。
【請求項６】
前記基部と前記アーム部とは、回動自在に係合される請求項１乃至５のいずれかに記載の襟元保持具。
【発明の詳細な説明】
【技術分野】
【０００１】
本発明は、襟付き被服の襟元を保持する襟元保持具に関する。
【背景技術】
【０００２】
従来、襟付き被服において、第１ボタン又は第１ボタン穴に係止して襟元に装着し、折り襟の内側に挿入片を挿入して、開いた襟元の乱れを防止する襟元保持具が提供されている（例えば特許文献１）。
【先行技術文献】
【特許文献】
【０００３】
【特許文献１】特開２０１２-７７４１７号公報
【発明の概要】
【発明が解決しようとする課題】
【０００４】
上記特許文献１において開示される襟元保持具によると、襟付き被服に装着するために、まず第１ボタンまたは第１ボタン穴に係止し、次に挿入片を折り襟の内側に挿入する作業が必要となるため、装着工程を簡略化するという点において改良の余地がある。
【０００５】
そこで、本発明は、上記従来の問題点を解決するべく、襟付き被服に簡便に装着して襟元を保持する襟元保持具を提供することを目的とする。
【課題を解決するための手段】
【０００６】
上記目的を達成するため、本発明は、襟付き被服に装着可能な襟元保持具は、装着される際に、前立てに配置される基部と、前記基部から上方に向かって所定角度で分岐し、先端方向に漸次離間するアーム部と、分岐する前記アーム部の各々に係合するブリッジ部とを備え、前記アーム部は、前記前立ての左右に形成される前記襟と台襟との間に夫々進入し、前記台襟を押圧し、前記ブリッジ部は、前記アーム部を摺動可能に構成される構成である。
【発明の効果】
【０００７】
本発明によると、アーム部を襟と台襟との間に進入させて台襟を押圧することにより、簡便に襟付き被服に装着して襟元を保持することが可能となる。
【図面の簡単な説明】
【０００８】
【図１】本発明の第１実施形態における襟元保持具の構成の一例を示す図である。
【図２】本発明の第１実施形態における襟元保持具の構成の一例を示す図である。
【図３】本発明の第１実施形態における襟元保持具の装着状態の一例を示す図である。
【図４】本発明の第１実施形態における襟元保持具の構成の一例を示す拡大図である。
【図５】本発明の第１実施形態における襟元保持具の装着状態の一例を示す拡大図である。
【図６】本発明の第２実施形態における襟元保持具の構成の一例を示す図である。
【図７】本発明の第２実施形態における襟元保持具の構成の一例を示す拡大図である。
【図８】本発明の第２実施形態における襟元保持具の構成の一例を示す部分拡大図である。
【図９】本発明の第３実施形態における襟元保持具の構成の一例を示す図である。
【図１０】本発明の第４実施形態における襟元保持具の構成の一例を示す図である。
【図１１】本発明の第５実施形態における襟元保持具の構成の一例を示す図である。
【図１２】本発明の第５実施形態における襟元保持具の構成の一例を示す図である。
【図１３】本発明の第５実施形態における襟元保持具の構成の一例を示す部分拡大図である。
【図１４】本発明の第５実施形態における襟元保持具の構成の一例を示す部分拡大図である。
【図１５】本発明の第５実施形態において、襟元保持具に係合されるネクタイ取付具の構成の一例を示す図である。
【図１６】本発明の第５実施形態における襟元保持具の構成の一例を示す図である。
【発明を実施するための形態】
【０００９】
本発明者は、襟元保持具について鋭意検討した結果、以下の発明に至った。
【００１０】
本発明の一態様である襟付き被服に装着可能な襟元保持具は、装着される際に、前立てに配置される基部と、前記基部から上方に向かって所定角度で分岐するアーム部とを備え、前記アーム部は、前記前立ての左右に形成される前記襟と台襟との間に夫々進入し、前記台襟を押圧する構成である。
【００１１】
このような構成により、台襟に対するアーム部の押圧力により襟元保持具が脱落することを抑制可能である。
【００１２】
本発明の一態様である襟元保持具において、前記基部は下端が略弧状に湾曲する線状部材により構成され、前記アーム部の各々に係合するブリッジ部をさらに備えるよう構成されてもよい。
【００１３】
このような構成により、ブリッジ部が分岐するアーム部同士を所定角度に保つため、アーム部により台襟を良好に押圧可能となる。
【００１４】
本発明の一態様である襟元保持具において、前記ブリッジ部は、装飾物を保持可能に構成されてもよい。
【００１５】
このような構成により、装飾物を前立て近傍に配置し、被服の美観をより高めることが可能となる。
【００１６】
本発明の一態様である襟元保持具において、前記ブリッジ部は、前記アーム部を摺動して上下方向に移動可能に構成されてもよい。
【００１７】
このような構成により、アーム部を上下方向に摺動させ、アーム部同士の角度を変更することができるため、台襟への押圧力を調整可能となる。
【００１８】
本発明の一態様である襟元保持具において、前記基部は、前記前立ての背面側に配置可能に構成されてもよい。
【００１９】
このような構成により、基部を前立ての背面側に配置することにより基部を隠蔽することが可能となる。
【００２０】
本発明の一態様である襟元保持具において、前記アーム部は、ユーザーの頸部後方に到達するよう構成されてもよい。
【００２１】
このような構成により、アーム部は、ユーザーの頸部後方に当接する台襟を押圧するため、襟元保持具がユーザーの頸部に吊架され脱落を良好に抑制できる。
【００２２】
本発明の一態様である襟元保持具において、前記アーム部は、先端が略弧状に湾曲するよう構成されてもよい。或いは、前記アーム部は、先端が巻回されるよう構成されてもよい。
【００２３】
このような構成により、アーム部が襟と台襟との間に進入する際に、アーム部の先端が被服表面に爪痕や摩擦痕等を生じさせるのを抑制することができる。
【００２４】
本発明の一態様である襟付き被服に装着可能な襟元保持具において、装着される際に、左右の襟の剣先下方に配置される基部と、前記基部から分岐するアーム部とを備え、前記アーム部は、先端に被服の前立てを挟持可能なピンチ部をさらに備えるよう構成されてもよい。或いは、前記アーム部は、先端に襟を挟持可能なピンチ部を備えるよう構成されてもよい。
【００２５】
このような構成により、前立てを挟持して襟元が過度に開くのを抑制し、襟元の形状を保持することが可能となる。
【００２６】
本発明の一態様である襟付き被服に装着可能な襟元保持具において、装着される際に、左右の襟の剣先下方に配置される基部と、前記基部から分岐するアーム部とを備え、前記アーム部は、前立ての左右に形成される前記襟と台襟との間に夫々進入し、前記襟の背面側を押圧するよう構成されてもよい。
【００２７】
このような構成により、襟の背面側を押圧することにより、シャツから脱落することなく良好に襟元の形状を整えることが可能となる。
【００２８】
上述した襟元保持具において、基部は、左右の襟の剣先下方に配置されるだけではなく、左右の襟の剣先同士の間に配置され、或いは左右の襟の剣先上方に配置されるよう構成されてもよい。
【００２９】
（第１実施形態）
以下、本発明の第１実施形態を図に基づいて詳細に説明する。なお、同一の構成部材に対しては同一の符号を付し、これに関する重複する説明は省略する。
【００３０】
図１は、第１実施形態における襟元保持具１の構成の一例を示す図である。本実施形態における襟元保持具１は、襟付き被服に装着可能で、襟元の形状を保持することが可能な器具である。
【００３１】
本実施形態において襟元保持具１は、基部２と、基部２から所定角度で分岐するアーム部３と、アーム部３の各々に係合するブリッジ部４とを備える。
【００３２】
基部２は、襟付き被服に装着される際に、下方側に位置する。本実施形態において、基部２は下端が略弧状に湾曲する線状部材により構成される。基部２は、弾性を有する金属により構成されてもよいし、弾性を有する樹脂により構成されてもよい。
【００３３】
アーム部３は、基部２から所定角度で分岐する部材である。本実施形態において、アーム部３は、襟付き被服に装着されると、基部２の上方に向かって二つの方向に分岐する。アーム部３は、基部２と一体形成されてもよいし、基部２に着脱可能に接合されてもよい。
【００３４】
本実施形態において、アーム部３は、基部２に連続して二手に分岐し、互いの先端部同士が所定幅を有する。二つのアーム部３は、先端方向に向かって開放される形状を備える。すなわち、二つのアーム部３同士の距離は、先端方向に向い漸次拡大する。
【００３５】
ブリッジ部４は、アーム部３に係合する部材である。ブリッジ部４は、二つの方向に延びるアーム部３の夫々に係合する。ブリッジ部４は、アーム部３の夫々に係合することにより、分岐する二つのアーム部３同士の距離を所定距離に保持する。
【００３６】
ブリッジ部４は、アーム部３と着脱可能に構成されてもよい。ブリッジ部４は、二つの方向に分岐するアーム部３の夫々に係合することにより、二つの方向に分岐して延びるアーム部３同士を所定角度に保つ。
【００３７】
ブリッジ部４は、アーム部３を摺動可能に構成されてもよい。ブリッジ部４は、アーム部３に沿って摺動可能に構成されてもよい。ブリッジ部４は、襟付き被服に襟元保持具１が装着される場合に、アーム部３を摺動してアーム部３同士の角度を調整可能である。  
【００３８】
図２は、本実施形態における襟元保持具１の装着状態の一例を示す図である。襟付き被服に襟元保持具１を装着する際に、ユーザーは、襟元保持具１を前立ての下方から上方に向かい移動させ、二つの方向に分岐するアーム部３を襟１０５と台襟１１０との間に夫々進入させる。
【００３９】
ユーザーはアーム部３が台襟１１０に当接するまで進入させ、アーム部３は台襟１１０を押圧する。台襟１１０がアーム部３により押圧されると、台襟１１０がユーザーの首に当接又は近接した状態で保持される。これにより、アーム部３は、襟１０５がユーザーの首元から離れすぎたり、首に対して横方向に襟１０５が寝てしまうことにより襟元の形状が崩れるのを抑制可能となる。
【００４０】
また、二つの方向に分岐するアーム部３が台襟１１０を首の中心方向に対して押圧することにより、アーム部３同士がユーザーの首元を挟むように押圧し、襟元保持具１が被服から脱落するのを抑制できる。襟元保持具１は、襟１０５と台襟１１０との間にアーム部３を差し込むことにより襟付き被服に装着することができるため、着脱を簡便に行うことができるのである。
【００４１】
襟付き被服に装着された状態で、ブリッジ部４は、アーム部３を上下方向に摺動可能である。ブリッジ部４がアーム部３を上方向に摺動すると、アーム部３同士の角度が狭くなる。そうすると、アーム部３の先端部同士の幅が狭くなるため、アーム部３の先端部による台襟１１０に対する押圧力が高まる。
【００４２】
ブリッジ部４がアーム部３を下方向に摺動すると、アーム部３同士の角度が広くなる。そうすると、アーム部３の先端部同士の幅が広くなるため、アーム部３の先端部による台襟１１０に対する押圧力が弱まる。すなわち、ブリッジ部４は、アーム部３を摺動してアーム部３同士の角度を変更することができるため、台襟１１０への押圧力を調整可能となるのである。
【００４３】
図３は、本実施形態における襟元保持具１の装着状態の一例を示す図である。上述した通り、ユーザーは、前立ての下方から上方に向かって襟元保持具１を移動させ、アーム部３を襟１０５と台襟１１０との間に進入させる。アーム部３の先端部が台襟１１０を押圧する状態まで進入させて装着する。
【００４４】
基部２は、開いた前立ての背面側に配置可能である。そうすると、基部２は被服の内側に隠蔽されるため、前方から視認困難となる。これにより、ユーザーの首元の美観を損なわず、スマートに襟元保持具１を装着できる。
【００４５】
ブリッジ部４は、開いた前立ての背面側に配置可能に構成されてもよい。そうすると、ブリッジ部４は被服の内側に隠蔽されるため、前方から視認困難となる。これにより、ユーザーの首元の美観を損なわず、スマートに襟元保持具１を装着できる。
【００４６】
アーム部３は、台襟１１０の形状に対応する形状を備えてもよい。台襟１１０は、首元周縁に円環状に形成される。アーム部３は、台襟１１０の形状に応じて、略弧状に湾曲して構成されてもよい。これにより、アーム部３と台襟１１０との当接面積を増加させ、広い範囲で台襟１１０を押圧して襟元形状を保持することが可能となる。
【００４７】
次に、本実施形態における襟元保持具１の各構成要素を説明する。
図４は、本実施形態における基部２とブリッジ部４の構成の一例を示す拡大図である。図４（ａ）に示すように、基部２は、略Ｕ字型に外側に湾曲する形状を備える線状の部材である。基部２は、襟付き被服に装着すると前立て下方に位置する。基部２が略Ｕ字型に湾曲する形状を備えることにより、基部２と接触する被服表面の布地に裂痕などを生じさせるのを抑制可能である。
【００４８】
ブリッジ部４は、基部２から二手に分岐するアーム部３の夫々に係合する。ブリッジ部４は、正面視略矩形状の本体部１０と、本体部１０に連続して形成される脚部１２とを備える。本体部１０は、アーム部３に対して直交する方向に配置される。
【００４９】
脚部１２は、本体部１０に連続して二股に形成される。脚部１２は、アーム部３を挟持可能に構成される。脚部１２は、二股の間にアーム部３を挟持可能な幅の空間を備える。脚部１２は、二手に分かれた間に形成される空間内にアーム部３を挟持可能となる。
【００５０】
図４（ｂ）は、ブリッジ部４の断面形状の一例を示す断面図である。図例では、本体部１０の長手方向における２つの端部近傍から脚部１２が立ち上がる構成である。脚部１２は、アーム部３を挟持可能に構成される。
【００５１】
脚部１２は、対向する板状部材により構成され、開口を備える。ユーザーは、開口からアーム部３を板状部材により形成される空間内に進入させ、対向する板状部材によりアーム部３を挟持する。
【００５２】
対向する板状部材同士の距離は、アーム部３の断面直径と略同じかこれより短く構成される。これにより、脚部１２によりアーム部３を脱落しないよう良好に挟持可能となるのである。
【００５３】
図例では、脚部１２は開口を備える場合を説明したが、これとは異なり、脚部１２は、アーム部３を収容して閉塞してもよい。これにより、アーム部３がブリッジ部４から脱落することを確実に防止できる。
【００５４】
ブリッジ部４は、アーム部３に沿って摺動可能である。これにより、アーム部３同士の角度を変更させ、アーム部３の先端部による台襟１１０に対する押圧力を調整可能となる。
【００５５】
図５は、本実施形態における襟元保持具１の装着の態様の一例を示す拡大図である。図５（ａ）に示すように、アーム部３は、襟１０５の下方から襟１０５と台襟１１０との間に進入する。アーム部３は、襟１０５と台襟１１０との間をアーム部３の先端が台襟１１０に当接するまで進入する。
【００５６】
アーム部３の先端が台襟１１０に当接するまで進入すると、アーム部３の先端が台襟１１０を押圧する。アーム部３同士は所定角度で分岐して、夫々襟１０５と台襟１１０との間に進入する。襟１０５と台襟１１０との間に進入するのに応じて、アーム部３同士の角度が進入前の角度に比べて拡張される。
【００５７】
アーム部３の先端が台襟１１０に当接すると、アーム部３は進入前の角度に復帰しようとするため、台襟１１０を他方のアーム部３の先端方向に向けて押圧する。すなわち、アーム部３の先端により、台襟１１０は他方のアーム部３の先端方向に押圧されるため、アーム部３の先端とユーザーの頸部とにより挟持される。
【００５８】
これにより、台襟１１０がユーザーの頸部に当接するよう保持され、襟１０５の形状が崩れることなく保持される。アーム部３の先端は他方の先端方向に台襟１１０を押圧するため、襟付き被服から脱落することなく保持される。
【００５９】
図５（ｂ）は、襟元保持具１の装着の態様の一例を示す断面図である。アーム部３の先端は、台襟１１０を他方のアーム部３の先端方向に押圧するため、台襟１１０は、アーム部３とユーザーの頸部により挟持される。
【００６０】
台襟１１０がこのように挟持されると、台襟１１０はユーザーの頸部に沿って保持される。そうすると、台襟１１０から連続する襟１０５もユーザーの頸部に沿って保持される。これにより、襟１０５を肩部に対して立ち上がる形状に保持することができるのである。
【００６１】
（第２実施形態）
次に、本発明の第２実施形態について説明する。第１実施形態において説明した構成要素と同一の構成要素については同一の番号を付し、重複する説明は省略する。
図６は、第２実施形態における襟元保持具１の構成の一例を示す図である。本実施形態において、ブリッジ部４は、装飾部２０を保持可能に構成される。
【００６２】
ブリッジ部４の本体部１０の上面に装飾部２０を装着可能に構成される。襟元保持具１が装着されると、装飾部２０が前面側に配置されるため、ブリッジ部４が前方に対して隠蔽される。これにより、襟元保持具１が装着された状態における襟元近傍の美観を向上させることができる。
【００６３】
図７は、本実施形態におけるブリッジ部４の構成の一例を示す図である。図７（ａ）に示すように、ブリッジ部４は、本体部１０と、アーム部３を挟持する脚部１２とを備える。本体部１０の上面に、装飾部２０が配置される。
【００６４】
図７（ｂ）に示すように、ブリッジ部４は、装飾部２０と係合するための取付孔２２をさらに備える。取付孔２２は、本体部１０の上面の下方において、本体部１０を貫通して形成される。
【００６５】
図例では、本体部１０の短手方向に貫通して取付孔２２が形成される場合を示したが、これに限らず、本体部１０の長手方向に貫通して取付孔２２は形成されてもよい。
【００６６】
装飾部２０の係合部２６が取付孔２２に挿通され、ブリッジ部４と装飾部２０とが係合する。図８は、装飾部２０の構成の一例を示す図である。図８（ａ）は、装飾部２０の背面図である。装飾部２０は、背面側に係合部２６を備える。
【００６７】
係合部２６は、長さ方向に取付孔２２に挿通可能である。係合部２６は、弾性を備える金属や樹脂、ゴムなどにより構成される。係合部２６は、取付孔２２への挿入方向における両端部の幅が、取付孔２２の幅より広く構成される。係合部２６は、取付孔２２への挿入方向における中央付近の幅が、取付孔２２の幅と同じかこれより狭く構成される。
【００６８】
係合部２６を取付孔２２に挿通させる際に、係合部２６の長さ方向における前方の端部をやや屈曲させて幅を狭め、取付孔２２に挿通させる。係合部２６の前方の端部が取付孔２２を通過すると、屈曲させていた状態から元の状態に戻る。係合部２６の中央部が通過した後に、係合部２６の後端部が取付孔２２の入口に当接する。
【００６９】
係合部２６の取付孔２２への挿入方向における端部の幅は、取付孔２２より広く構成されるため、後方の端部は取付孔２２の入口に当接して止まる。これにより、係合部２６は取付孔２２から脱落することなく、装飾部２０は本体部１０に良好に係合する。
【００７０】
図８（ｂ）に示すように、係合部２６は装飾部２０の下面の略中央に配設される。係合部２６は、弾性を有する金属や樹脂、或いはゴム等により形成される線状の部材である。
【００７１】
図８（ｃ）に示すように、係合部２６は装飾部２０の下面にフック状に形成される。本体部１０の取付孔２２に対して、フック状の係合部２６を挿通させることにより、装飾部２０を簡便にブリッジ部４に係合可能である。
【００７２】
なお、本実施形態において、装飾部２０をブリッジ部４に係合させる場合を説明したが、これに限られるものではない。一例として、ブリッジ部４にピンマイクや噴霧器、或いは送風器具を係合させてもよい。
【００７３】
（第３実施形態）
次に、本発明の第３実施形態について説明する。図９は、第３実施形態における襟元保持具１の構成の一例を示す図である。本実施形態における襟元保持具１は、基部２と、基部２から分岐するアーム部３と、分岐するアーム部３の夫々に係合するブリッジ部４とを備える。
【００７４】
アーム部３は、襟１０５と台襟１１０との間に進入し、襟１０５を押圧する。図９（ａ）に示すように、アーム部３は、基部２から分岐して互いに離れる方向に延びる。アーム部３は、先端に向かって漸次開放される形状を備える。
【００７５】
アーム部３は、先端に向かって開放される形状を備えるため、襟１０５に当接すると襟１０５をユーザーの頸部から離れる外方向に押圧する。これにより、襟元が寛げられた形状に保持される。
【００７６】
また、２つのアーム部３が、襟１０５を夫々外方向に押圧することにより襟元保持具１の重量を支持する。これにより、襟元保持具１が被服から脱落するのを防止することが可能となる。
【００７７】
アーム部３の先端部は、襟１０５に当接するとともにユーザーの頸部から離れる方向に襟１０５を押圧する。図９（ｂ）は、本実施形態における襟元保持具１の襟付き被服への装着態様の一例を示す上面図である。アーム部３は、襟１０５と台襟１１０との間に進入し、ユーザーの頸部から離れる方向に延びる構成である。
【００７８】
アーム部３は、襟１０５と台襟１１０との間を進むにしたがい外方向に向かって延びる。アーム部３は、先端部が襟１０５に当接するとともに襟１０５を外方向に押圧する。外方向に押圧されると、襟１０５は、前立てにおける第１ボタンが配置される領域の布を外方向に引っ張る。これにより、襟先が開放された状態で保持される。
【００７９】
アーム部３は、先端部が巻回し、或いは湾曲するなどの形状を備えてもよい。アーム部３が襟１０５と台襟１１０との間を進入する際に、先鋭な先端部ではなく、巻回され或いは湾曲した形状の端部がこれらの間を進入するため、襟１０５や台襟１１０など被服表面の布地と接する場合に、布地を傷つけるのを抑制可能となる。
【００８０】
（第４実施形態）
次に、本発明の第４実施形態について説明する。図１０は、第４実施形態における襟元保持具１の構成の一例を示す図である。第４実施形態において、襟元保持具１は、装着される際に左右の襟１０５の剣先下方に配置される基部２と、基部２から分岐するアーム部３とを備え、アーム部３は、先端にピンチ部３０をさらに備える構成である。
【００８１】
アーム部３は、基部２から所定角度で分岐して延びる構成である。ピンチ部３０は、アーム部３の先端に形成されるクリップ状の部材である。
【００８２】
図例では、ピンチ部３０は襟１０５を挟持する場合を示す。これにより、左右の襟１０５は、アーム部３同士の角度に応じて互いに開いた状態で保持される。ピンチ部３０により襟１０５を挟持することにより、襟元保持具１が被服から脱落するのを良好に防止可能となる。
【００８３】
これとは異なり、ピンチ部３０は、前立てにおける第１ボタン近傍の布地の端部と、第１ボタン穴近傍の布地の端部を夫々挟持してもよい。これにより、前立て上方がアーム部３同士の角度に応じて開放されるため、ピンチ部３０が襟１０５を挟持する場合に比べて、より胸元が開いた状態を保持することが可能となる。
【００８４】
（第５実施形態）
次に、本発明の第５実施形態について説明する。図１１は、本発明の第５実施形態における襟元保持具１の構成の一例を示す図である。本実施形態において、アーム部３は、ユーザーの頸部後方に到達するように構成される。
【００８５】
アーム部３は、基部２から所定角度で分岐し、襟１０５と台襟１１０との間に進入し、ユーザーの頸部後方に到達する。アーム部３は、台襟１１０をユーザーの頸部側に押圧する。これにより、アーム部３は、ユーザーの頸部に吊架されるように襟元保持具１を支持する。すなわち、ユーザーの頸部後方から台襟１１０を押圧するため、ユーザーの頸部横方向から押圧する場合に比べて、より良好に襟元保持具１の脱落を抑止可能となる。
【００８６】
アーム部３は、襟１０５と台襟１１０との間をユーザーの頸部後方まで進入するため、アーム部３が短い場合に比べて、台襟１１０と長く当接することになる。そのため、襟１０５の形状を良好に保持可能である。
【００８７】
図１２は、図１１に示す構成とは異なる襟元保持具１の構成の一例を示す図である。本実施形態において、装着される際に基部２は前立て下方に配置される。基部２は、Ｕ字状に湾曲して形成され、湾曲した形状における内周側に凹凸からなるガイド部３６をさらに備える。
【００８８】
ガイド部３６は基部２の下端から略平行に上方に延びる。アーム部３は、ガイド部３６から連続して台襟１１０に沿って進入する。
【００８９】
本実施形態において、ブリッジ部４は、ガイド部３６に係合するとともに、ガイド部３６を摺動する。ブリッジ部４は、ガイド部３６を摺動することにより、ユーザーの前立てにおいて上下に移動可能となる。
【００９０】
図１３は、本実施形態におけるブリッジ部４の構成の一例を示す図である。図１３（ａ）に示すように、ブリッジ部４は、蓋部４ａと、中部４ｂと、底部４ｃとを積層させてなる構成である。蓋部４ａと底部４ｃとにより中部４ｂを上下から挟んで、底部４ｃから螺子等により蓋部４ａと中部４ｂと底部４ｃとを固定する。
【００９１】
中部４ｂは、背面側に係止爪４０を備える。係止爪４０は、弾性を有する金属や樹脂等により構成される。係止爪４０は、中部４ｂ略中央付近に複数配設される。係止爪４０は、ブリッジ部４の外側からの押圧力により変形可能である。
【００９２】
図１３（ｂ）に示すように、本実施形態において、係止爪４０は中部４ｂに２つ配設される。係止爪４０は、それぞれ先端部が中部４ｂより外に突出する。２つの係止爪４０の突出する先端部の間の長さＷ１は、中部４ｂの幅より長く構成される。
【００９３】
係止爪４０は、中部４ｂの外側からの押圧力を受けると、先端部が中部４ｂの中心方向に押されて移動する。２つの係止爪４０の先端部に対して夫々外側から押圧されると、２つの係止爪４０の先端部は夫々中部４ｂの中心方向に移動する。この場合、２つの係止爪４０の先端部の間の長さＷ１は、従前より短くなる。
【００９４】
２つの係止爪４０の先端部に対する押圧力が減少すると、係止爪４０は夫々従前の形状に復帰する。すなわち、係止爪４０の先端部は、中部４ｂの外に突出する位置に復帰する。この場合、２つの係止爪４０の先端部の間の長さＷ１は、短い状態から長い状態に復帰する。
【００９５】
図１３（ｃ）は、本実施形態におけるガイド部３６の構成の一例を示す図である。ガイド部３６は、内周側が凹凸状に構成される。ガイド部３６は、凸状部同士が対向するとともに、凹状部同士が対向する。
【００９６】
ガイド部３６において、対向し合う凸状部の先端同士の長さＷ２は、係止爪４０の先端部の間の長さＷ１に比べて短く構成される。ブリッジ部４がガイド部３６を摺動して、係止爪４０がガイド部３６における凸状部同士が対向し合う位置に至ると、対向し合う凸状部から押圧される。凸状部により押圧されると、係止爪４０の先端部は夫々中部４ｂの中心方向に移動する。
【００９７】
ガイド部３６において、対向し合う凹状部同士の最大長さＷ３は、係止爪４０の先端部の間の長さＷ１と同一又はこれより長く構成される。ブリッジ部４がガイド部３６を摺動して、係止爪４０がガイド部３６における凸状部同士が対向し合う位置から凹状部同士が対向し合う位置に移動すると、係止爪４０に対する押圧力が減少する。そうすると、係止爪４０は、凸状部により押圧されて変形していた形状から変形前の形状に復帰する。
【００９８】
係止爪４０がガイド部３６における凹状部同士が対向し合う位置にある場合、係止爪４０は、ユーザーにより凸状部方向に移動させる力が加えられない限り、凸状部の方向に移動しない。すなわち、係止爪４０は凹状部同士が対向し合う位置に安定的に保持される。
【００９９】
これとは異なり、係止爪４０は中部４ｂに複数配設されるのではなく、一の係止爪４０が配設されてもよい。図１４は、図１３に示す係止爪４０とは異なる構成の係止爪４０の一例を示す図である。図１４（ａ）に示す係止爪４０は、両端が中部４ｂの中心を挟んで対向する位置にあるとともに、中部４ｂから突出してもよい。係止爪４０は、中央付近において伸縮可能に構成される。係止爪４０は、中部４ｂの外側からの押圧力に応じて、係止爪４０の先端部は中部４ｂの中心方向に移動してもよい。これにより、係止爪４０の両端部の間の長さＷ１は、押圧される前に比べて短くなる。
【０１００】
図１４（ｂ）において、略矩形に構成される係止爪４０の一例を示す。係止爪４０は、対向する２つの端部が中部４ｂから突出する。係止爪４０の２つの端部は、中部４ｂの外側からの押圧力に応じて中央方向に近接するように変形することが可能である。これにより、係止爪４０の２つの端部の間の長さＷ１は、押圧前に比べて短くなる。
【０１０１】
図１４（ｃ）は、図１３に示すブリッジ部４とは異なる構成のブリッジ部４の一例を示す図である。ブリッジ部４は、中部４ｂと底部４ｃとにより構成される。中部４ｂは、アーム部３を摺動可能に保持するアーム保持部４１を備える。
【０１０２】
アーム保持部４１は、弾性を備える樹脂やゴムにより構成されるとともに、アーム部３を摺動可能に保持する。ユーザーは、アーム部３においてブリッジ部４を摺動させ、所望の位置で停止させると、中部４ｂと底部４ｃとによりアーム保持部４１を挟むようにブリッジ部４を固定させる。
【０１０３】
ブリッジ部４は、中部４ｂと底部４ｃとによりアーム保持部４１を挟むように固定させることができる。そうすると、アーム保持部４１が中部４ｂと底部４ｃとにより押圧されて変形し、アーム保持部４１がアーム部３を押圧する。中部４ｂと底部４ｃとがアーム保持部４１を挟んだ状態において、アーム保持部４１はアーム部３を摺動するのが困難となる。すなわち、ユーザーは、中部４ｂと底部４ｃとによりアーム保持部４１を挟むように固定することにより、ブリッジ部４を所望の位置で固定させることが可能となるのである。
【０１０４】
図１５（ａ）は、ブリッジ部４に係合可能なネクタイ取付具４２の構成の一例を示す図である。ブリッジ部４は、蓋部４ａの表面側に係合可能な部材を備える。ネクタイ取付具４２は、蓋部４ａ表面側に係合可能な爪部４４を備える。
【０１０５】
ネクタイ取付具４２は、ブリッジ部４に係合することにより、ブリッジ部４がガイド部３６を摺動するのに応じて配置位置を変更させることが可能となる。ネクタイ取付具４２は、ネクタイを収容可能な形状を備える。これにより、ネクタイの位置を前立ての前方に保持可能となる。
【０１０６】
図１５（ｂ）は、図１５（ａ）に示した構成とは異なる構成のネクタイ取付具４２の一例を示す図である。図例において、ネクタイ取付具４２は上方の左右端部に配設される支持部と、中央部において下方に延びる本体部を備える。
【０１０７】
図１５（ｂ）の例において、ユーザーは左右端部の支持部にネクタイを巻回させ、本体部前方においてネクタイを結ぶことにより、恰もネクタイを装着したような外観を創出することが可能となる。
【０１０８】
図１６は、本実施形態における襟元保持具１の構成の一例を示す図である。図１６（ａ）に示す襟元保持具１において、アーム部３は、先端部に滑り止め４８をさらに備える。滑り止め４８は、ゴムや摩擦材により構成されてもよいし、粘着材により構成されてもよい。アーム部３が滑り止め４８を備えることにより、襟元保持具１が被服から脱落するのを良好に抑制可能となる。
【０１０９】
基部２は凹凸形状を有するガイド部３６を備え、ガイド部３６とアーム部３は接合される。ガイド部３６とアーム部３との接合箇所に、回動部５０をさらに備えてもよい。回動部５０は、アーム部３をガイド部３６に軸支し、或いはボールフランジにより接合する。
【０１１０】
回動部５０を中心に、アーム部３は回動可能であり、アーム部３を回動させて先端を基部２近傍まで移動させてもよい。これにより、アーム部３を基部２に重なるようにすることにより、本実施形態における襟元保持具１をコンパクトにすることが可能となる。
【０１１１】
図１６（ｂ）は、アーム部３とガイド部３６との接合箇所の一例を示す拡大図である。図例では、アーム部３とガイド部３６とは、ネジ５２により軸支される。
【０１１２】
アーム部３は、ガイド部３６の外周に接して軸支されてもよい。アーム部３がネジ５２を中心に回動する場合、アーム部３はガイド部３６の外側を回動する。これにより、アーム部３がガイド部３６の内周側に形成される凹凸部に当接することなく、襟元保持具１をコンパクトに畳むことが可能である。
【０１１３】
アーム部３とガイド部３６とは回動可能に接合し、アーム部３は、ガイド部３６との接合箇所を中心に回動可能であり、ガイド部３６との角度が所定値以下になることを抑制する抑制手段を備えてもよい。
【０１１４】
アーム部３とガイド部３６との接合箇所には、回動を規制するストッパーを設けてもよい。アーム部３をガイド部３６に対して回動させることにより、本実施形態における襟元保持具１を展開させた状態でアーム部３の回動を規制するストッパーを備えてもよい。これにより、襟元保持具１を使用する際に、アーム部３の回動が抑制されて使用に適した形態で襟元保持具１を保持することが可能となる。
【０１１５】
本実施形態において、アーム部３とガイド部３６とが回動可能に接合する場合を示したが、アーム部３と基部２とが回動可能に接合してもよい。
【０１１６】
本実施形態において、アーム部３とガイド部３６との接合箇所を樹脂等の軟性のある素材により構成してもよい。或いは、アーム部３を軟性のある素材により構成してもよい。これにより、アーム部３を屈曲させることにより襟元保持具１をコンパクトにすることで、携行を容易にする。
【０１１７】
（変形例）
上記第１実施形態乃至第５実施形態において、本発明が適用される構成の一例を示した。しかしながら、本発明は上述した実施形態に限られるものではない。
上記実施形態において、基部から上方に向かってアーム部が分岐する場合を説明したが、本発明はこれに限られるものではない。アーム部は、分岐することなく一方の襟１０５と台襟１１０との間に進入し、アーム部の先端が台襟１１０の後頭部側に到達してもよい。
【０１１８】
あるいは、アーム部が分岐することなく一方の襟１０５と台襟１１０との間に進入し、ユーザーの頸部に巻回されてもよい。
【０１１９】
上記実施形態において、ブリッジ部４がアーム部３に係合する場合を説明したが、本発明はこれに限られず、ブリッジ部４が基部２に係合してもよい。
【符号の説明】
【０１２０】
１      襟元保持具
２      基部
３      アーム部
４      ブリッジ部
２０    装飾部（装飾物）
３０    ピンチ部
１０５  襟
１１０  台襟
【図１】
0006960181.tif 000002
【図２】
0006960181.tif 000003
【図３】
0006960181.tif 000004
【図４】
0006960181.tif 000005
【図５】
0006960181.tif 000006
【図６】
0006960181.tif 000007
【図７】
0006960181.tif 000008
【図８】
0006960181.tif 000009
【図９】
0006960181.tif 000010
【図１０】
0006960181.tif 000011
【図１１】
0006960181.tif 000012
【図１２】
0006960181.tif 000013
【図１３】
0006960181.tif 000014
【図１４】
0006960181.tif 000015
【図１５】
0006960181.tif 000016
【図１６】
0006960181.tif 000017